(57)【要約】  歯清掃電気器具は、ハンドルと、作動流体を貯蔵する流体リザーバと、流体送出システムと、ブラシユニットと、駆動ユニットを含む。流体送出システムは、作動流体を流体リザーバから受入れ、作動流体をユーザの口腔に送出する。ブラシユニットは、毛支持部と、毛支持部に取り付けられた複数の毛を含む。駆動ユニットは、毛支持部をハンドルに対して移動させるように駆動する。流体リザーバは、駆動ユニットの少なくとも一部分の周りに延びる。
2021527499.tif 000002
【特許請求の範囲】
【請求項１】
歯清掃電気器具であって、
ハンドルと、
作動流体を貯蔵する流体リザーバと、
作動流体を前記流体リザーバから受入れて作動流体をユーザの口腔に送出する流体送出システムと、
ブラシユニットと、
駆動ユニットと、を含み、
前記ブラシユニットは、毛支持部と、前記毛支持部に取り付けられた複数の毛を含み、
前記駆動ユニットは、毛支持部をハンドルに対して移動させるように駆動し、モータを有し、
前記ハンドルは、歯清掃電気器具の使用中にユーザが把持するグリップ部分と、前記ブラシユニットに近接した端部分を含み、前記ハンドルの端部分は、前記モータを収容し、
前記流体リザーバは、前記モータの周りに延びる、歯清掃電気器具。
【請求項２】
前記流体リザーバは、前記ハンドルの端部分を包囲する、請求項１に記載の歯清掃電気器具。
【請求項３】
前記ハンドルの端部分は、前記ハンドルのグリップ部分よりも小さい断面を有する、請求項１又は２に記載の歯清掃電気器具。
【請求項４】
更に、前記ブラシユニットと前記ハンドルの間を延びるステムを含み、
前記駆動ユニットは、前記ステムを前記ハンドルに対して移動させるように構成される、請求項１〜３の何れか１項に記載の歯清掃電気器具。
【請求項５】
更に、前記ステムが取付けられる伝達ユニットを含み、
前記流体リザーバの外壁の一部分は、前記伝達ユニットが貫通する孔を構成する、請求項４に記載の歯清掃電気器具。
【請求項６】
前記流体リザーバの外壁は、実質的に球形又は回転楕円形の曲率を有する、請求項５に記載の歯清掃電気器具。
【請求項７】
前記伝達ユニットは、前記流体送出システムの一部を収容する、請求項５又は６に記載の歯清掃電気器具。
【発明の詳細な説明】
【技術分野】
【０００１】
本発明は、治療電気器具に関する。治療電気器具は、好ましくは、手持ち式治療電気器具であり、好ましくは、表面治療電気器具である。本発明の好ましい実施形態では、治療電気器具は、歯科治療電気器具である。好ましい実施形態では、治療電気器具は、流体をユーザの口腔に送出する流体送出システムを有する電気歯ブラシである。この流体は、練り歯磨き粉であってもよいし、改善された隣接歯間清掃のための流体であってもよい。変形例として、治療電気器具は、歯をブラッシングする毛やその他の要素を含んでいなくてもよいし、隣接歯間専用の治療電気器具の形態をなしていてもよい。
【背景技術】
【０００２】
電気歯ブラシは、一般的には、ハンドルに連結されたツールを含む。ツールは、ステムと、歯をブラッシングする毛を支持するブラシヘッドを含む。ブラシヘッドは、ステムに連結される静的な部分と、静的な部分に対して移動可能である少なくとも１つの移動可能部分を含み、移動可能部分は、それに取付けられる毛にブラシ運動を付与するために、例えば、往復運動、振動、枢動又は回転運動のうちの１つを有する。ステムは、ハンドル内の伝達ユニットと結合された駆動シャフトを収容する。伝達ユニットは、ハンドル内に収容されたバッテリによって駆動されるモータに連結される。駆動シャフト及び伝達ユニットは、モータの回転又は振動運動を、ブラシヘッドの静的な部分に対するブラシヘッドの移動可能部分の所望の運動に変換する。
【０００３】
隣接歯間清掃のための作動流体の噴流を発生させる流体送出システムを電気歯ブラシに組込むことが知られている。例えば、特許文献１は、ハンドル及びブラシヘッドを有する歯ブラシを記載し、ブラシヘッドは、作動流体をユーザの口腔に配送するノズルを含む。電気器具をユーザの歯に沿って移動させるとき、ノズルは、ハンドルに対して移動可能である。歯ブラシは、異なる２つのモードのうちの選択された１つで作動可能である。第１のモードでは、ユーザは、ボタンを押下げ、ノズルからの作動流体の配送を作動させる。第２のモードでは、制御回路は、ハンドルに対するノズルの移動、例えば、ノズルがユーザの歯の隣接歯間隙間の中への移動又はその外への移動を検出するセンサから受信した信号に応じて、ノズルへの作動流体の配送を自動的に作動させる。
【先行技術文献】
【特許文献】
【０００４】
【特許文献１】国際公開第２０１６／１８５１６６号
【発明の概要】
【発明が解決しようとする課題】
【０００５】
歯ブラシは、流体リザーバを含み、流体リザーバは、ハンドルとブラシヘッドの間を延びるステムの周りを包囲する。流体リザーバは、流体送出システムに接続可能な流体ポートを含み、ハンドルは、作動流体が流体リザーバから漏れることを阻止するように流体ポートを包囲するシールを含む。流体リザーバは、流体リザーバを補充することを可能にするために流体ポートを露出させるようにステムの周りを回転可能である。
【課題を解決するための手段】
【０００６】
第１の側面では、本発明は、歯清掃電気器具を提供し、かかる歯清掃電気器具は、ハンドルと、作動流体を貯蔵する流体リザーバと、作動流体を流体リザーバから受入れて作動流体をユーザの口腔に送出する流体送出システムと、を含み、流体リザーバは、流体ポートを含み、流体ポートが流体送出システムに接続される第１の位置と、流体ポートが流体リザーバの補充のために露出される第２の位置の間をハンドルに沿って移動可能である。
【０００７】
特許文献１に開示された電気器具と比較すると、本発明の第１の側面は、流体リザーバが第１の位置にあるときに流体リザーバに係合して作動流体が流体リザーバから漏れることを阻止するシールの寿命を、ハンドルに対する流体リザーバの運動の変化によって増大させることができる。流体リザーバを第１の位置と流体ポートを露出させる第２の位置との間でハンドルの長さに沿って移動させることによって、流体リザーバをステムの周りに回転させることとは対照的に、シールの摩耗を減少させることができる。
【０００８】
流体リザーバは、第１の位置と第２の位置の中間の多数の異なる位置の１つに自由に移動してもよい。変形例として、流体リザーバは、ハンドルに対する位置に応じて、第１の位置又は第２の位置の何れかに向かって付勢されてもよい。例えば、電気器具は、流体リザーバを第１の位置又は第２の位置に向かって付勢するばね機構、例えば、オーバーセンター機構を有していてもよいし、ハンドルに対する現在の位置に応じて流体リザーバを第１の位置又は第２の位置に向かって引きつける磁石構成を有していてもよい。流体リザーバは、好ましくは、ハンドルに沿って摺動可能である。
【０００９】
流体リザーバの容量を最大にするために、及び、電気器具の長手方向軸線周りの重量配分を比較的均一にするために、流体リザーバは、好ましくは、ハンドルの少なくとも一部の周りを延びる。好ましい実施形態では、流体リザーバは、ハンドルを包囲する。流体リザーバは、好ましくは、環状の形状を有する。
【００１０】
流体送出システムは、好ましくは、作動流体をユーザの口腔に配送するためのノズルを含む。流体送出システムは、好ましくは、更に、ポンプとコントローラを含み、コントローラは、作動流体を流体リザーバから引いて作動流体をノズルに向かって配送するようにポンプを作動させる。ノズルをユーザの隣接した歯の間に移動させるとき、ユーザが、ハンドルに設けられたユーザインタフェースのボタンを押下げると、ポンプを作動させて、作動流体をノズルから放出させる。変形例として、電気器具は、ユーザの口腔への作動流体の配送を、例えば０．５〜５Ｈｚの固定された周波数で自動的に行うように構成されてもよい。コントローラは、好ましくは、作動流体の噴流をノズルに向かって放出するようにポンプを作動させるように構成される。流体送出システムによって発生させる作動流体の噴流の各々の容積は、好ましくは、１ｍｌよりも少なく、更に好ましくは、０．５ｍｌよりも少ない。好ましい実施形態では、流体送出システムによって発生させる作動流体の噴流の容積は、０．１〜０．４ｍｌの範囲内にある。流体送出システムは、好ましくは、作動流体の噴流をノズルに３〜１０バール（３００〜１０００ｋＰａ）の範囲内の静圧で送出するように構成される。
【００１１】
ハンドルは、好ましくは、多数のセクション又は部分を含み、多数のセクションは、好ましくは、互いに一体である。ハンドルは、好ましくは、保持し又は把持する第１のセクション、即ち、「グリップ部分」を含む。グリップ部分は、好ましくは、電気器具の使用中にユーザが係わるユーザインタフェースを含み、例えば、ユーザインタフェースにより、流体送出システムからの作動流体の配送を行う。ハンドルは、好ましくは、更に、グリップ部分から間隔をあけた第２のセクションを含み、流体リザーバがハンドルに対して第２のセクションに沿って移動する。ハンドルの第２のセクションは、好ましくは、ハンドルの端部、好ましくは、ハンドルのうちのノズルに最も近い端部の近くに配置され、ハンドルの端部セクション又は端部分とも称される。端部セクションは、好ましくは、ハンドルのうちしノズルに最も近い端部を少なくとも部分的に構成する。流体リザーバは、それが第１の位置にあるとき、好ましくは、ハンドルの端部セクションを包囲するので、それを電気器具のユーザは見ることができない。
【００１２】
ハンドルの端部セクションは、好ましくは、ハンドルの長手方向軸線に対して垂直な平面内の断面を有し、かかる断面は、ハンドルのグリップ部分の断面よりも小さい。このことにより、流体リザーバが第１の位置にあるときに電気器具が比較的一様な外観を有することを可能にし、例えば、流体リザーバの外径は、ハンドルのグリップ部分の外径と同じである。変形例として又はそれに加えて、このことはまた、流体リザーバの容量が固定されている場合、流体リザーバの幅を最小にすることを可能にする。
【００１３】
電気器具は、好ましくは、流体リザーバが第１の位置と第２の位置の間を移動するときに流体リザーバの回転を阻止する手段を含む。これにより、流体ポートが第１の位置と第２の位置の間を移動するときに流体ポートが流体送出システムの流体入口と角度方向に整列したままであることを確保する。例えば、流体リザーバは、ハンドルの端部セクションに形成され且つ軸線方向に整列したスロット又は溝に沿って移動する。好ましい実施形態では、ハンドルの端部セクションは、管状の外面を含み、流体リザーバは、流体リザーバが第１の位置にあるときにハンドルの端部セクションの外面を包囲する管状の内面を含む。ハンドルの端部セクションの管状の外面の形状は、好ましくは、流体リザーバの管状の内面の形状と実質的に同じであり、かかる形状は、好ましくは、ハンドルの長手方向軸線に対して垂直な平面において非円形である。好ましい実施形態では、端部セクションの外面は、かかる平面において不規則な形状、即ち、２つの対向する平行な面と２つの対向する湾曲面を含み、「競技トラック」形状を構成する。しかしながら、外面は、矩形又は異径多角形等の任意所望の形状を有していてもよく、かかる形状は、それと流体リザーバの内面が一致するとき、ハンドルに対する流体リザーバの回転を阻止する。
【００１４】
ハンドルは、好ましくは、第１の位置にあるときの流体リザーバを受入れる座部を含む。座部は、好ましくは、流体送出システムの流体入口を含み、流体入口は、第１の位置にあるときの流体リザーバから流体を受入れる。好ましい実施形態では、流体リザーバの流体ポートは、座部に面する流体リザーバのベースに配置される。座部は、好ましくは、グリップ部分とハンドルの端部セクションの間に配置され、好ましくはハンドルの長手方向軸線に対して垂直に配列される。座部と流体リザーバのベースの各々は、好ましくは、環状の形状を有する。座部及び流体リザーバのベースは、好ましくは、実質的に同じ外径を有する。
【００１５】
座部は、好ましくは、ハンドルのグリップ部分に対して局所的に拡大された断面を有する。座部と流体リザーバの隣接した外面は、好ましくは、実質的に同じ曲率を有し、その結果、流体リザーバが第１の位置にあるとき、流体リザーバと座部は一緒に、湾曲した単一のユニットとして見える。好ましい実施形態では、座部と流体リザーバの隣接した外面は、好ましくは、球又は回転楕円体の曲率を有する。
【００１６】
上述したように、流体リザーバは、好ましくは、流体リザーバの流体ポートが流体送出システムに接続される第１の位置に付勢される。これにより、電気器具使用中に流体リザーバが不意にノッキングしたりその他の衝撃を受けたりした場合、電気器具の使用中に流体リザーバがその第１の位置から移動するおそれを減少させることができる。このことはまた、電気器具の使用中に流体リザーバからの流体の望ましくない漏れのおそれを減少させることができる。
【００１７】
第２の側面において、本発明は、歯清掃電気器具を提供し、かかる歯清掃電気器具は、ハンドルと、作動流体を貯蔵する流体リザーバと、作動流体を流体リザーバから受入れて作動流体をユーザの口腔に送出する流体送出システムと、を含み、流体リザーバは、流体ポートを含み、流体ポートが流体送出システムに接続される第１の位置と、流体ポートが流体リザーバを補充することを可能にするために露出される第２の位置の間をハンドルに対して移動可能であり、歯清掃電気器具は、流体リザーバを第１の位置に向かって付勢する手段を含む。
【００１８】
好ましくは、付勢手段は、流体リザーバを第１の位置に向かって磁気的に引きつけるように構成される。好ましい実施形態では、付勢手段は、流体リザーバによって支持された少なくとも１つの永久磁石を含む。流体ポートと少なくとも１つの磁石は、好ましくは、流体リザーバの共通壁に配置され、本実施形態では、共通壁は流体リザーバのベースである。上述したように、流体リザーバのベースは、好ましくは、環状の形状を有し、したがって、流体ポート及び磁石は、好ましくは、流体リザーバのベースの周りに角度方向に間隔をあける。好ましい実施形態では、流体リザーバは、直径方向反対側に互いに位置する２つの同じ極性の磁石を含む。
【００１９】
付勢手段は、更に、ハンドルに配置された反対の極性の少なくとも１つの永久磁石を含み、流体リザーバの磁石は、かかる永久磁石に引きつけられる。変形例として、ハンドルは、流体リザーバの磁石が引きつけられる強磁性材料を含むのがよい。強磁性材料は、好ましくは、ハンドルの座部の上に又はそれに隣接して配置され、好ましくは、ハンドルの長手方向軸線の周りに延びるループ又はリングの形態をなす。
【００２０】
流体リザーバが第１の位置から第２の位置に向かって移動するとき、流体リザーバは、座部から遠ざかるように、好ましくは、ノズルに向かって移動する。電気器具は、好ましくは、ハンドルとノズルの間を延びるステムを含むのがよい。流体リザーバが第２の位置にあるとき、好ましくは、流体リザーバの少なくとも一部分が、ステムの周りに延びる。好ましい実施形態では、流体リザーバのベースだけが、流体リザーバが第２の位置にあるときにハンドルの周りに延びるように連続する。流体リザーバがハンドルから完全に取外されることを防止するために、流体リザーバが第１の位置の位置から遠ざかるように移動するとき、ステムは、好ましくは、第２の位置を越える流体リザーバの移動を阻止する手段を含む。
【００２１】
第３の側面では、本発明は、歯清掃電気器具を提供し、かかる歯清掃電気器具は、ハンドルと、作動流体を貯蔵する流体リザーバと、作動流体を流体リザーバから受入れ、作動流体をユーザの口腔に送出するノズルを含む流体送出システムと、ハンドルとノズルの間を延びるステムと、を含み、流体リザーバは、流体ポートを含み、流体リザーバは、流体ポートが流体送出システムに接続される第１の位置と、流体ポートが流体リザーバを補充することを可能にするために露出される第２の位置の間を移動可能であり、ステムは、第２の位置を越える流体リザーバの移動を阻止する手段を含む。
【００２２】
阻止手段は、好ましくは、ステムの外面から突出する停止部材を含む。流体リザーバが第２の位置に到達すると、停止部材は、流体リザーバの一部に係合し、第２の位置を越える流体リザーバの移動を阻止する。停止部材は、流体リザーバの内壁に係合するように配置されるのがよく、かかる内壁は、例えば、流体リザーバの管状の内面を構成する壁である。好ましい実施形態では、停止部材は、流体リザーバが第２の位置にあるときに流体リザーバの外壁に係合するように配置されてもよい。上述したように、流体リザーバの外部壁は、好ましくは、実質的に球又は回転楕円体の曲率を有る。外部壁は、好ましくは、外部壁の一部分が、流体リザーバが第２の位置にあるときにステムが貫通する孔を有するように形状決めされる。停止部材は、好ましくは、流体リザーバが第２の位置にあるときに外部壁のかかる部分に係合するように構成される。
【００２３】
ステムは、好ましくは、ハンドルに取外し可能に連結される。これにより、ステムを交換することを可能にし、例えば、ノズルが摩耗したときに異なる寸法又は形状を有する交換用ステムをハンドルに連結させてもよいし、異なるユーザが、個人用ステムをハンドルに取付けてもよい。ステムは、好ましくは、ハンドルと締り嵌めを形成する。
【００２４】
流体リザーバは、好ましくは、ハンドルに取外し可能に連結される。流体リザーバは、例えば、流体リザーバの交換のために、ハンドルから取外されてもよい。好ましくは、流体リザーバは、ステムをハンドルから取外した後にのみ、ハンドルから取外し可能である。
【００２５】
電気器具は、ユーザの歯の隙間の間をクリーニングする隣接歯間清掃専用の電気器具の形態をなしていてもよい。変形例として、電気器具は、隣接歯間の隙間の中への作動流体の放出による改良された隣接歯間清掃の追加機能を有する歯ブラシの形態をなしていてもよい。電気器具が歯ブラシの形態をなしている場合、クリーニングツール又はステムは、好ましくは、複数の毛を含む。毛は、好ましくは、ノズルの周りに配列され、ノズルの周りに且つその周囲に配列されるのがよい。複数の毛は、ハンドルに対して移動不能であるクリーニングツールの静的な部分に取付けられるのがよい。変形例として又はそれに加えて、複数の毛は、ハンドルに対して移動可能であるクリーニングツールの移動可能な部分に取り付けられてもよい。
【００２６】
好ましい実施形態では、電気器具は、ブラシユニットを有し、ブラシユニットは、毛支持部と、毛支持部に取付けられた複数の毛を有し、毛支持部は、ハンドルに対して移動可能である。電気器具は、ハンドルに対して毛支持部を移動させるように駆動する駆動機構を有する。駆動機構は、好ましくは、毛支持部に連結された伝達ユニットと、毛支持部をハンドルに対して移動させるように伝達ユニットを駆動する駆動ユニットを含む。駆動ユニットは、好ましくは、ハンドル内に位置し、更に好ましくは、ハンドルの端部セクション内に位置する。流体リザーバは、好ましくは、駆動ユニットの少なくとも一部分の周りを延びる。好ましい実施形態では、駆動ユニットは、モータを含み、流体リザーバは、駆動ユニットのモータの周りを延びる。モータをハンドルの端部セクション内に収容することにより、ハンドルのグリップ部分内に収容される電気器具の構成要素の数を減少させることができ、それにより、グリップ部分の形状を、ユーザが握るのに最適にすることができる。
【００２７】
第４の側面では、本発明は、歯清掃電気器具を提供し、かかる歯清掃電気器具は、ハンドルと、作動流体を貯蔵する流体リザーバと、作動流体を流体リザーバから受入れてユーザの口腔に配送する流体送出システムと、毛支持部及び毛支持部に取付けられた複数の毛を含むブラシユニットと、ハンドルに対する毛支持部の移動を駆動する駆動ユニットを含み、流体リザーバは、駆動ユニットの少なくとも一部分の周りを延びる。
【００２８】
駆動ユニットは、毛支持部をステムに対して移動させるように構成されるのがよい。変形例として、駆動ユニットは、ステム、したがって、毛支持部をハンドルに対して移動させるように構成されてもよい。ステムは、好ましくは、伝達ユニットに取付けられる。流体リザーバは、好ましくは、伝達ユニットの少なくとも一部の周りに延びる。
【００２９】
伝達ユニットは、好ましくは、モータによってハンドルに対して移動させられ、好ましくは、振動させられるシャフトの形態を有する。シャフトの振動周波数は、好ましくは、２５０〜３００Ｈｚの範囲内にある。モータは、好ましくは、モータの起動時にシャフトがハンドルに対して振動するように、シャフトの周りに延びる。
【００３０】
伝達ユニットは、好ましくは、流体送出システムの一部を構成する。シャフトは、好ましくは、流体送出システムの一部を構成する孔を含む。
【００３１】
流体送出システムは、好ましくは、ハンドル導管系と、流体をハンドル導管系から受入れるクリーニングツール導管系を含む。クリーニングツール導管系は、好ましくは、作動流体の噴流をノズルに搬送する少なくとも１つの導管を含む。好ましい実施形態では、ステムは、クリーニングツール導管系の流体導管を構成する孔を含む。ハンドル導管系は、好ましくは、作動流体を流体リザーバの流体ポートから受入れる流体入口と、作動流体を流体入口ポート、ポンプ、及びハンドルの流体出口の間で搬送する複数の導管を含む。複数の導管は、流体を流体入口からポンプに向かって搬送する流体入口導管と、作動流体の噴流をポンプから流体出口に搬送する流体出口導管を含む。流体出口導管の少なくとも一部は、好ましくは、伝達ユニットの孔によって構成され、かくして、好ましくは、モータの中を貫いて延びる。流体入口導管の少なくとも一部は、好ましくは、流体入口からポンプまでモータの外面に隣接して延びる。入口導管の少なくとも一部は、好ましくは、ハンドルの座部によって構成される。
【００３２】
流体をポンプまでモータの外面に沿って搬送すること及びそれに引続いて流体をポンプからモータの中に搬送することにより、電気器具の小型化を更に向上させることができる。第５の側面では、本発明は、歯清掃電気器具を提供し、かかる歯清掃電気器具は、ハンドルと、作動流体を貯蔵する流体リザーバと、作動流体を流体リザーバから搬送する流体送出システムを含み、流体送出システムは、ポンプと、作動流体を流体リザーバからポンプに向かって搬送する入口導管と、作動流体をユーザの口腔に配送するノズルと、作動流体をポンプからノズルに向かって搬送する出口導管を含み、歯清掃電気器具は、更に、ブラシユニットを含み、ブラシユニットは、毛支持部と、毛支持部に取付けられた複数の毛を含み、歯清掃電気器具は、更に、ハンドルに対する毛支持部の移動を駆動する駆動ユニットを含み、駆動ユニットは、モータを含み、入口導管の少なくとも一部は、モータの外面に隣接し、出口導管の少なくとも一部は、モータの中を貫いて延びる。
【００３３】
本発明の第１の側面と関連して上述した特徴は、本発明の第２〜第５の側面に等しく適用可能であり、また、本発明の第２〜第５の側面と関連して上述した特徴は、本発明の第１の側面に等しく適用可能である。
【００３４】
本発明の好ましい特徴を、添付図面を参照して例示としてのみこれから説明する。
【図面の簡単な説明】
【００３５】
【図１Ａ】流体リザーバが第１の位置にある歯清掃電気器具を前方から見た斜視図である。
【図１Ｂ】図１Ａの歯清掃電気器具を後方から見た斜視図である。
【図２Ａ】図１Ａの歯清掃電気器具の左側面図である。
【図２Ｂ】図１Ａの歯清掃電気器具の正面図である。
【図２Ｃ】図１Ａの電気器具の右側面図である。
【図３】歯清掃電気器具の流体送出システムの概略図である。
【図４】図２Ｃの線Ａ−Ａにおける断面図である。
【図５】図２Ｂの線Ｂ−Ｂにおける断面図である。
【図６】図２Ａの線Ｃ−Ｃにおける断面図である。
【図７Ａ】流体リザーバが第１の位置から移動した歯清掃電気器具を前方から見た斜視図である。
【図７Ｂ】図７Ａの歯清掃電気器具を後方から見た斜視図である。
【図８】図７Ａの歯清掃電気器具の正面図である。
【図９Ａ】流体リザーバが第２の位置にある歯清掃電気器具を前方から見た斜視図である。
【図９Ｂ】図９Ａの歯清掃電気器具を後方から見た斜視図である。
【図１０Ａ】図９Ａの電気器具の左側面図である。
【図１０Ｂ】図９Ａの電気器具の正面図である。
【図１０Ｃ】図９Ａの電気器具の右側面図である。
【図１１】図１０Ｃの線Ａ−Ａにおける断面図である。
【図１２】図１０Ｂの線Ｂ−Ｂにおける断面図である。
【図１３】図１０Ａの線Ｃ−Ｃにおける断面図である。
【発明を実施するための形態】
【００３６】
図１Ａ〜図２Ｃは、歯清掃電気器具１０の実施形態の外観図である。この実施形態では、電気器具は、電気歯ブラシの形態である手持ち式電気器具の形態をなし、改善された隣接歯間清掃のために作動流体を送出する一体式組立体を有する。
【００３７】
歯清掃電気器具１０は、ハンドル１２と、クリーニングツール１４を有する。ハンドル１２は、好ましくはプラスチック材料で形成された外本体１６を有する。外本体１６は、電気器具１０の使用中にユーザが握るグリップ部分１８を含む。グリップ部分１８は、好ましくは、全体的に円筒形の形状を有する。ハンドル１２は、ユーザが操作可能なボタン２０を含み、ボタン２０は、ユーザにアクセス可能であるように、外本体１６に形成された孔の中に位置する。選択的には、ハンドル１２は、歯清掃電気器具の使用中にユーザに見えるように位置決めされたディスプレイを含んでいてもよい。
【００３８】
クリーニングツール１４は、ステム２２と、ヘッド２４を含む。ステム２２は、ヘッド２４をハンドル１２から遠ざける機能を有する細長い形状を有し、それにより、歯清掃電気器具１０のユーザ操作性を向上させる。この実施形態では、クリーニングツール１４のヘッド２４は、ブラシユニット２６を含み、ブラシユニット２６は、毛支持部２８と、毛支持部２８に取り付けられた複数の毛３０を含む。しかしながら、他の実施形態では、クリーニングツール１４は、ブラシユニット２６を含んでいなくてもよく、その場合、歯清掃電気器具は、ユーザの歯の間の隙間を清掃するための専用の隣接歯間清掃電気器具の形態をなしてもよい。
【００３９】
クリーニングツール１４はまた、作動流体を貯蔵する流体リザーバ３２と、歯清掃電気器具１０の使用中に作動流体をユーザの口腔内に送出するノズル３４を含む。作動流体は、好ましくは、液体の作動流体であり、この実施形態では、水である。後で詳細に説明するように、流体リザーバ３２は、ハンドル１２の端部セクション又は端部分３６の周りを延びるように、ハンドル１２の端部分３６に取付けられる。ブラシユニット２６を含むこの実施形態では、ブラシユニット２６は、ノズル３４の周りを少なくとも部分的に延びる。
【００４０】
ノズル３４は、歯清掃電気器具１０の使用中に作動流体を流体リザーバ３２から受入れて作動流体の噴流をユーザの口腔に送出するための流体送出システム４０の一部を形成する。作動流体の各噴流は、好ましくは、１ｍｌよりも小さい容積、更に好ましくは、０．５ｍｌよりも小さい容量しか有しない。流体送出システム４０を図３に概略的に示す。ノズル３４の先端は、作動流体の噴流がユーザの口腔に送出される流体出口４２を含む。概略的には、流体送出システム４０は、作動流体を流体リザーバ３２から受入れる流体入口４４を含む。この実施形態では、作動流体は、液体の作動流体であり、好ましくは、水である。流体送出システム４０は、作動流体を流体入口４４を介して流体リザーバ３２から引いて作動流体の噴流をノズル３４に送出するためのポンプ組立体を含む。ポンプ組立体は、ハンドル１２のグリップ部分１８の中に配置され、容積式ポンプ４６と、容積式ポンプ４６を駆動する駆動部を含む。駆動部は、好ましくは、ポンプ用モータ４８を含む。電力をポンプ用モータ４８に供給するバッテリ５０も、ハンドル１２内に配置される。バッテリ５０は、好ましくは、交換可能なバッテリである。
【００４１】
第１の導管５２が、流体送出システム４０の流体入口４４をポンプ４６の流体入口５４に接続する。第１の一方向弁５６が、流体入口４４とポンプ４６の間に配置され、水がポンプ４６から流体リザーバ３２に戻ることを阻止する。第２の導管５８が、ポンプ４６の流体出口６０をノズル３４に接続する。第２の一方向弁６２が、ポンプ４６とノズル３４の間に配置され、水がポンプ４６に戻ることを阻止する。制御回路６４が、ポンプ用モータ４８の作動を制御し、ポンプ用モータ４８及び制御回路６４は、ポンプ４６を駆動する駆動部を構成する。バッテリ５０は、電力を制御回路６４に供給する。制御回路６４は、電力をポンプ用モータ４８に供給するモータコントローラを含む。
【００４２】
この実施形態では、制御回路６４は、ユーザが歯清掃電気器具１０のハンドル１２のボタン２０を押下げたときに発生する信号を受信する。変形例として又は追加の例として、制御回路６４は、歯清掃電気器具１０内に配置されたセンサが発生させた信号を受信してもよいし、ディスプレイ又は個人用装置等の遠隔装置からの信号を受信してもよい。簡略表現のために、以下の説明では、制御回路６４は、ユーザがボタン２０を操作したときに発生する信号を受信する。
【００４３】
クリーニングツール１４は、ハンドル１２に取外し可能に結合されている。図４〜図６も参照すれば、ハンドル１２は、好ましくは差込み部６６の形態を有する雄コネクタを含み、雄コネクタは、好ましくはクリーニングツール１４の凹部コネクタ６８の形態を有する相補的な雌コネクタに受入れられる。差込み部６６は、ハンドル１２の端部分３６から外方に、好ましくは、ハンドル１２の長手方向軸線と平行な方向に、更に好ましくは、ハンドル１２の長手方向軸線と整列して突出する。
【００４４】
歯清掃電気器具１０は、ステム２２、かくして、毛支持部２８をハンドル１２に対して移動させる駆動機構を含む。駆動機構は、伝達ユニットと、ステム２２をハンドル１２に対して移動させるように伝達ユニットを駆動する駆動ユニットを含む。駆動ユニットは、ハンドル１２の端部分３６の中に配置された駆動モータ７０を含む。伝達ユニットは、シャフト７２を含み、シャフト７２は、ハンドル１２に対して振動するように駆動モータ７０によって駆動される。差込み部６６は、シャフト７２に連結され、好ましくは、シャフト７２と一体である。制御回路６４は、電力を駆動モータ７０に供給するモータコントローラを含む。ボタン２０はまた、駆動モータ７０を作動させたり不作動にしたりするのに使用され、例えば、ボタン２０を所定の持続期間にわたって押下げることによって、歯清掃電気器具１０を使用するクリーニング期間を停止させる。変形例として、駆動モータ７０を作動させたり不作動にしたりする別のボタン（図示せず）が設けられてもよい。駆動モータ７０は、好ましくは、ステム２２を振動させるように構成され、それにより、毛３０を横方向運動で、即ち、ハンドル１２の長手方向軸線と垂直に且つ２５０〜３００Ｈｚの範囲の周波数で湾曲掃除運動をさせ、かくして、毛３０の角度方向の移動は、５〜１５度の範囲内にある。
【００４５】
ハンドル１２は、流体リザーバ３２を受入れる座部７４を含む。座部７４は、ハンドル１２のグリップ部分１８と端部分３６の間に配置される。座部７４は、流体送出システム４０の流体入口４４を含む。流体入口４４は、流体を流体リザーバ３２の流体ポート７６から受入れる。流体送出システムの第１の導管５２は、流体ポート７６からポンプ４６に向かって座部７４を貫通する入口部分７８を含む。かくして、第１の導管５２の入口部分７８は、ポンプ４６に向かって、駆動モータ７０の外面に隣接して、駆動モータ７０の外側に沿って延びる。
【００４６】
ポンプ４６をノズル３４に接続する第２の導管５８は、ハンドル１２内に配置されたハンドル導管部分と、クリーニングツール１４内に配置されたクリーニングツール導管部分を含む。ハンドル導管部分は、ポンプ４６の流体出口６０から、差込み部６６の端部に配置されたハンドル流体出口８０まで延びる。ハンドル導管部分は、シャフト７２のボアによって定められる出口部分８２を含み、出口部分８２は、駆動モータ７０を貫通してクリーニングツール１４に向かう。かくして、作動流体は、ポンプ４６に向かう第１の方向に駆動モータ７０の外部を通り、引き続いて、ポンプ４６から遠ざかる、即ち、第１の方向と反対の第２の方向に駆動モータ７０の中を通る。クリーニングツール導管部分は、クリーニングツール１４の凹部コネクタ６８によって定められるクリーニングツール流体入口ポートからノズル３４に向かって延びる。クリーニングツール導管部分は、クリーニングツール１４のステム２２のボアによって定められる導管８４を含む。
【００４７】
流体リザーバ３２は、好ましくは、５〜５０ｍｌの範囲の容量を有し、本実施形態では、１０ｍｌの容量を有する。流体リザーバ３２は、流体ポート７６が形成されたベース９０を含む。ベース９０は、管状の形状を有し、流体リザーバ３２の管状の内壁９２から外方に延びる。図６を特に参照すれば、流体リザーバ３２の内壁９２は、ハンドル１２の端部分３６の外面を包囲する管状の内面を含む。外面と内面の各々は、好ましくは、ハンドル１２の長手方向軸線に対して垂直な非円形断面を有する。この実施形態では、外面と内面の各々は、「競技場トラック」の形状のような断面を有し、かかる断面形状は、対向する２つの平行な側面と、対向する２つの湾曲した側面を有する。
【００４８】
図４及び図５に示すように、ハンドル１２の端部分３６は、好ましくは、ハンドル１２の長手方向軸線と垂直な平面内の断面を有し、この断面は、ハンドル１２のグリップ部分１８の断面よりも小さい。これにより、流体リザーバ３２の所定の固定された容量に対して、流体リザーバ３２の幅を最小にすることを可能にする。
【００４９】
流体リザーバ３２は、更に、ベース９０の縁部から、内壁９２のうちのベース９０から遠い方の端部まで延びる外壁９４を含む。流体リザーバ３２の外壁９４の少なくとも一部分は、好ましくは、透明であり、それにより、ユーザが流体リザーバ３２の内容物を監視して、歯清掃電気器具１０の使用を望む前に流体リザーバ３２が補充を必要としているかどうかを評価することを可能にする。外壁９４は、好ましくは、ハンドル１２の長手方向軸線の周りに軸対称な形状を有する。外壁９４は、好ましくは、湾曲した形状を有し、更に好ましくは、凸状の湾曲形状を有するけれども、変形例として、外壁９４は、多角形状であってもよいし、多数のカット面を有する形状であってもよい。この実施形態では、外壁９４は、球形の湾曲を有する。外壁９４に隣接した座部７４の外側面の部分も、同様の球形の湾曲を有し、その結果、図２ａ〜図２ｃに示すように、流体リザーバ３２と座部７４が一緒に球形に湾曲したユニットとしてユーザに見える。外壁９４のうちのベース９０から遠い方の端部は、駆動機構のシャフト７２が貫通する円形孔９６を構成する。
【００５０】
流体リザーバ３２はまた、ダイアフラム９８を含む。ダイアフラム９８は、管状の形状を有し、流体リザーバ３２の内壁９２を包囲する。（図４及び図５に示すように）ダイアフラム９８の上端部は、内壁９２と外壁９４の間に保持され、ダイアフラム９８の下端部は、流体リザーバ３２のベース９０の上を延びる環状シール１００によって保持される。環状シール１００は、流体が流体リザーバ３２から流体送出システム４０に入ることを可能にする孔１０２を有し、Ｏリングシール１０４が、ベース９０と環状シール１００の間のシールを形成して、ベース９０と環状シール１００の間から流体が漏れることを阻止する。
【００５１】
ダイアフラム９８は、かくして、流体リザーバ３２の外壁９４に面する外面を有し、この外面は、外壁９４及び環状シール１００と一緒に、流体リザーバ３２の容量を定める。ダイアフラム９８は、外壁９４の少なくとも一部分を通してユーザに見えるので、ダイアフラム９８の外面は、クリーニングツール１４のユーザによる識別のための識別子の役割を有していてもよい。
【００５２】
特許文献１の内容を本明細書に援用し、その特許文献１に記載されているように、ダイアフラム９８の厚さ及びダイアフラム９８を形成する材料は、作動流体がポンプ４６によって流体リザーバ３２から引かれたときにダイアフラム９８の少なくとも一部分がダイアフラム９８の両側に生じた圧力差に応答して外壁９４に対して移動可能であるように選択される。内壁９２とダイアフラム９８の間に配置された膨張チャンバが、大気に通じ、それにより、作動流体が流体送出システム４０に供給されてダイアフラム９８が外壁９４に向かって移動するとき、大気が膨張チャンバに入ることを許す。１つ又は２つ以上の孔（図示せず）が、内壁９２に形成され、それにより、大気が、例えば、流体リザーバ３２とハンドル１２の端部分３６の間を延びる空気流路から、膨張チャンバに入ることを可能にする。ダイアフラム９８がその完全膨張形態に向かって膨張するとき、ダイアフラム９８の寸法及び形状は、外壁９４の寸法及び形状に近づく。言い換えれば、ダイアフラム９８が、流体リザーバ３２が実質的に空であるときに生じる完全膨張形態にあるとき、ダイアフラム９８の寸法及び形状は、流体リザーバ３２の外壁９４の寸法及び形状と実質的に同じになる。かくして、膨張チャンバの最大容積は、好ましくは流体リザーバ３２の最大容積と実質的に等しい。
【００５３】
流体リザーバ３２は、流体リザーバ３２を補充する作動流体の専用の流体入口を有していない。その代わりに、流体リザーバ３２を流体ポート７６から補充する。この観点では、流体リザーバ３２は、流体ポート７６が流体送出システム４０に接続される第１の位置（図１Ａ〜図６）と、流体ポート７６が露出されて流体リザーバ３２を補充することを可能にする第２の位置（図９Ａ〜図１３）との間を、ハンドル１２の端部分３６に沿って移動可能である。図７Ａ〜図８は、第１の位置と第２の位置の中間の流体リザーバ３２を示す。
【００５４】
この実施形態では、流体リザーバ３２が第１の位置と第２の位置の間を移動するとき、流体リザーバ３２は、ハンドル１２の端部分３６に沿って摺動可能である。ハンドル１２に対する流体リザーバ３２の回転は、ハンドル１２の端部分３６の外面及び流体リザーバ３２の内壁９２の内面に非円形断面形状を採用することによって阻止される。これにより、流体ポート７６と流体入口４４の角度方向の整列を維持し、流体リザーバ３２が第１の位置に戻るときに流体リザーバ３２が流体送出システム４０に再接続されることを確保する。
【００５５】
歯清掃電気器具１０の使用中に偶然に流体リザーバ３２が第１の位置からずれてしまうおそれを減少させるために、歯清掃電気器具１０は、流体リザーバ３２を第１の位置に向かって押しやる付勢力を流体リザーバ３２に付与するように構成される。この実施形態では、流体リザーバ３２は、第１の位置に向かう磁力によって押しやられる。図４を参照すると、同じ極性の２つの永久磁石１０６、１０８が、流体リザーバ３２のベース９０に取付けられる。これらの磁石１０６、１０８は、座部７４の上に位置する強磁性材料のループ１１０に取付けられる。磁石１０６、１０８とループ１００の間の磁気吸引力を選択することにより、流体リザーバ３２が第１の位置から偶然にずれるおそれを減少させるとともに、流体リザーバ３２の補充が必要であるときにユーザが流体リザーバ３２を損傷させることなしに引いて流体リザーバ３２を第１の位置から遠ざけることを可能にする。
【００５６】
流体リザーバ３２が第２の位置に向かって移動するとき、流体リザーバ３２のベース９０は、ハンドル１２の端部分３６に沿ってステム２２に向かって移動する。図１１及び図１２に示すように第２の位置にあるとき、流体リザーバ３２のベース９０とシール１００だけが、ハンドル１２の端部分３６の周りに依然として延び、流体リザーバ３２の一部分は、ステム２２の周りに延びる。流体リザーバ３２を第１の位置から遠ざけるときに流体リザーバ３２がハンドル１２から完全に分離するようになることを防止するために、歯清掃電気器具１０は、流体リザーバ３２に係合する停止部材１１２を含み、停止部材１１２は、流体リザーバ３２が第２の位置にあるときに第２の位置を越える流体リザーバ３２の移動を阻止する。停止部材１１２は、ステム２２から突出し、シャフト７２が貫通する孔９６を構成する外壁９４の周囲部分に係合するように構成される。
【００５７】
流体リザーバ３２を作動流体（本実施形態では、水）で満たすために、ユーザは、歯清掃電気器具１０を、図１Ａ〜図２Ｃに示す向きから反転させ、流体リザーバ３２を歯清掃電気器具１０のヘッド２４に向かって引いて、流体リザーバ３２をその第２の位置に移動させる。ユーザは、露出した流体ポート７６を水道の蛇口の吐水口の下に配置して、蛇口をひねると、水が吐水口から流体ポート７６を通って流体リザーバ３２に入る。流体リザーバ３２の外壁９４が透明であるので、ユーザは、流体リザーバ３２の充填、及び、流体リザーバ３２内の水の重量による流体リザーバ３２のダイアフラム９８の収縮を監視することができる。流体リザーバ３２が水で充填されたとき、空気を膨張チャンバから排出する。流体リザーバ３２が充填され、ユーザが流体リザーバ３２をその第１の位置に戻すと、流体リザーバ３２は、磁石１０６、１０８とループ１１０の間の磁気吸引力によって第１の位置に保持される。次いで、ユーザは、使用のために、歯清掃電気器具１０を、図１Ａ〜図２Ｃに示す向きに戻す。
【００５８】
歯清掃電気器具１０を作動させるために、ユーザが、ボタン２０を押下げることによって、歯清掃電気器具１０のスイッチをオンにすると、制御回路６４は、ボタン２０の作動を検出する。制御回路６４は、駆動モータ７０を作動させて、ブラシユニット２６をハンドル１２に対して移動させる。ボタン２０を再び押して、水の噴流をノズル３４から放射させる。制御回路６４は、ポンプ４６を作動させて、一定量の水をポンプ４６の流体チャンバからノズル３４に押しやり、また、一定量の水を流体リザーバ３２から引くことによって、流体チャンバを補充する。これを、ユーザがボタン２０を使用して歯清掃電気器具１０のスイッチをオフにするまで又は流体リザーバ３２が空になるまで続ける。
【００５９】
流体リザーバ３２を交換するために、ユーザは、最初、ステム２２を差込み部６６から抜く。次いで、ユーザは、流体リザーバ３２をハンドル１２の端部分３６から摺動させるのがよい。
【図１Ａ】
2021527499.tif 000003
【図１Ｂ】
2021527499.tif 000004
【図２Ａ】
2021527499.tif 000005
【図２Ｂ】
2021527499.tif 000006
【図２Ｃ】
2021527499.tif 000007
【図３】
2021527499.tif 000008
【図４】
2021527499.tif 000009
【図５】
2021527499.tif 000010
【図６】
2021527499.tif 000011
【図７Ａ】
2021527499.tif 000012
【図７Ｂ】
2021527499.tif 000013
【図８】
2021527499.tif 000014
【図９Ａ】
2021527499.tif 000015
【図９Ｂ】
2021527499.tif 000016
【図１０Ａ】
2021527499.tif 000017
【図１０Ｂ】
2021527499.tif 000018
【図１０Ｃ】
2021527499.tif 000019
【図１１】
2021527499.tif 000020
【図１２】
2021527499.tif 000021
【図１３】
2021527499.tif 000022
【国際調査報告】
2021527499.tif 000023
2021527499.tif 000024